(57)【要約】【課題】  主要部品への不正アクセスを遮断しつつ、設定変更や修理などのメンテナンス時の作業効率の向上を図る。【解決手段】  遊技機島に固設される外枠１ｂと、この外枠１ｂに開閉可能に取付けられる前扉１ａと、を備えるスロットマシン１であって、前扉１ａと別体に設けられ、前扉１ａの裏面側に配置されるとともに、外枠１ｂの開口部を閉塞する遮蔽板５を備え、遮蔽板５を、前扉１ａと外枠１ｂとの間に挟み込み、前扉１ａが開放されたときに、開閉可能な扉体として設けるとともに、遮蔽板５の裏面に、不正改造の対象部品となる主基板ユニット６を配置した構成としてある。【選択図】    図４
2010088779.tif 000002
【特許請求の範囲】
【請求項１】
遊技機島に固設される外枠と、この外枠に開閉可能に取付けられる前扉と、を備える遊技機であって、
前記前扉と別体に設けられ、前記前扉の裏面側に位置するとともに、前記外枠の開口部を閉塞する遮蔽板を備え、
前記遮蔽板を、前記前扉と前記外枠との間に挟み込み、前記前扉が開放されたときに、開閉可能な扉体として設けるとともに、
前記遮蔽板の裏面に、所定の主要部品を配置したことを特徴とする遊技機。
【請求項２】
前記遮蔽板を、前記外枠に開閉不能にロックするロック手段を備えた請求項１記載の遊技機。
【請求項３】
前記遮蔽板に、複数のリールを備えるドラムユニットを配置した請求項１又は２記載の遊技機。
【請求項４】
前記ドラムユニットを、前記遮蔽板の表面側から着脱可能に設けた請求項３記載の遊技機。
【請求項５】
前記遮蔽板に、当該遊技機に投入される遊技媒体を遊技機島に誘導する誘導路を設けた請求項１〜４のいずれか一項に記載の遊技機。
【請求項６】
前記主要部品が、当該遊技機を制御する主基板である請求項１〜５のいずれか一項に記載の遊技機。
【請求項７】
前記主要部品が、遊技媒体を払出す払出装置である請求項１〜６のいずれか一項に記載の遊技機。
【請求項８】
設定確率を変更可能な所定の装置を前記遮蔽板の表面に配置した請求項１〜７のいずれか一項に記載の遊技機。
【請求項９】
電源を生成・供給する電源装置を前記遮蔽板の表面に配置し、この電源装置が位置する前記遮蔽板の裏面に当該遊技機を制御する主基板を配置した請求項１〜８のいずれか一項に記載の遊技機。
【請求項１０】
遊技媒体を払出す払出装置を前記遮蔽板の上部に配置し、
前記払出装置の下側に複数のリールを備えるドラムユニットを配置し、
前記ドラムユニットの下側に、電源を生成・供給する電源装置と当該遊技機を制御する主基板とを配置した請求項１〜９のいずれか一項に記載の遊技機。
【請求項１１】
当該遊技機内部に遊技媒体を取込む取込装置を前記前扉の裏面に配置した請求項１〜１０のいずれか一項に記載の遊技機。
【請求項１２】
所定の表示装置を前記前扉の裏面に配置した請求項１〜１１のいずれか一項に記載の遊技機。
【発明の詳細な説明】
【技術分野】
【０００１】
本発明は、遊技機に関し、特に、メンテナンス時の作業性や不正防止効果を向上させた遊技機に関する。
【背景技術】
【０００２】
遊技場には、パチンコ機やスロットマシン（回胴式遊技機）などの種々の遊技機が設置されている。
これらの遊技機を構造で分類すると、主に遊技メダルを遊技媒体とし、筐体構造を有するスロットマシンがある一方、これとは異なり、遊技機が設置される遊技機島に固設される外枠と、外枠に開閉可能に支持される前扉とからなる遊技機がある。
このような外枠と前扉とから構成されている遊技機は、使用する遊技媒体を遊技球とするパチンコ機や、パチロット又は球スロと称されるスロットマシンで多く見受けられる（例えば、特許文献１，２）。
【特許文献１】特開２００６−１４１４４７号公報
【特許文献２】特開２００６−３０５０２０号公報
【発明の開示】
【発明が解決しようとする課題】
【０００３】
外枠と前扉とから構成されている遊技機の場合、前扉を開放すると、前扉の裏面に配置された遊技機を制御する主基板などの主要部品が比較的簡単に露出する。このため、不正行為を誘発し易いという欠点があった。
この欠点を回避するために、前扉の裏面に配置された部品を覆うカバー部材を設けることが一般に行われている。
しかしながら、このカバーは、前扉に一体に取り付けられているため、前扉の開放に伴いカバーも外部に露出されることから、カバー内部への不正なアクセスが容易となっていた。
【０００４】
また、このような構成からなる遊技機の場合、すべての装置や部品等を、前扉に配設してある。
このため、前扉は相当な重量を有することになり、取り扱い難いものとなっていた。
さらに、一の前扉に各装置や各部品が層状に重なるように配設されているため、各部品の所在が不明確となり、修理等のメンテナンス時における作業効率を低下させる要因にもなっていた。
【０００５】
特に、設定確率を変更可能な遊技機（パチロットや、パロット）の場合には、設定変更時の作業性が悪く、煩雑な操作を強いることになっていた。
具体的には、まず、前扉を手前に引き、開放してから、カバーを後方に押し戻して開放させる。そして、電源ユニットなどの設定変更に係る装置を露出させた後、前扉の裏面に手を回して、変更作業を行わなければならなかった。
このように、構造的な都合上、設定確率の変更作業が煩雑になり、その結果、作業効率を低下させ、設定変更に多くの時間を費やさなければならなかった。
【０００６】
本発明は、上記の事情にかんがみなされたものであり、外枠と前扉との間に、主基板などの主要部品を裏面に配置する新たな扉体を設けることで、主要部品への不正アクセスを遮断しつつ、設定確率の変更や修理などメンテナンス作業における作業効率を向上させる画期的な遊技機の提供を目的とする。
【課題を解決するための手段】
【０００７】
この目的を達成するため、本発明の遊技機は、遊技機島に固設される外枠と、この外枠に開閉可能に取付けられる前扉と、を備える遊技機であって、前記前扉と別体に設けられ、前記前扉の裏面側に位置するとともに、前記外枠の開口部を閉塞する遮蔽板を備え、前記遮蔽板を、前記前扉と前記外枠との間に挟み込み、前記前扉が開放されたときに、開閉可能な扉体として設けるとともに、前記遮蔽板の裏面に、所定の主要部品を配置した構成としてある。
【発明の効果】
【０００８】
本発明の遊技機によれば、不正改造の対象となる主要部品への不正アクセスを遮断しつつ、設定変更や修理などのメンテナンス時の作業性を向上することができる。
【発明を実施するための最良の形態】
【０００９】
以下、本発明に係る遊技機の好ましい実施形態について、図１〜図５を参照しつつ、説明する。
図１は、本発明の一実施形態に係るスロットマシンの正面図であり、図２は、裏面図である。また、図３は、前扉を開放した斜視図であり、図４は、前扉と遮蔽板とを開放した斜視図である。また、図５は、組立図を示している。
【００１０】
各図に示すように、本実施形態の遊技機は、遊技媒体として遊技球を用いるスロットマシンであって、複数のリール４１ａ，４１ｂ，４１ｃを回転させることによって遊技球を獲得することができる回胴式遊技機を構成している。
【００１１】
具体的には、本実施形態のスロットマシン１は、遊技機島に固設される外枠１ｂと、遊技操作に係る装置等が配設され、スロットマシン前面を構成する前扉１ａとを備え、さらに、前扉１ａと外枠１ｂとの間に、本発明の遮蔽板５が設けられている。
この遮蔽板５を設けることによって、主基板を収容する主基板ユニット６などの主要部品が正面からアクセス不能に遮断されるとともに、前扉１ａを開放するだけで、設定確率の変更操作に係る電源ユニット８などのメンテナンス部品を外部に露出でき、メンテナンス時の作業効率が向上されるようになっている。
以下、各部、各装置について、詳述する。
【００１２】
前扉１ａは、スロットマシン前面を構成し、図４に示すように、上下に設けられた蝶番１５を介して、後述の遮蔽板５に支持され、遮蔽板５及び外枠１ｂに対して、独立して開閉する扉体である。
前扉１ａの右端部には、施錠部１６が設けられている（図１参照）。
この施錠部１６には、図示しない爪部が設けられ、前扉１ａを閉状態とすると、この爪部が遮蔽板５に係止することで、施錠されるように構成されている。また、この施錠部１６に、所定の施錠キーを挿入し、回動すると、この爪部と遮蔽板５との係止状態が解除され、前扉１ａを開放できるようになっている。
【００１３】
また、前扉１ａは、ほぼ中央部分に表示窓１１が設けられ、この表示窓１１を介して、各リール４１を外部から視認することができるようになっている。
表示窓１１は、無色透明又は有色透明の樹脂製パネル等からなり、三つの各リール４１ａ，４１ｂ，４１ｃの周囲に描かれた複数の図柄のうち、縦方向に連続して隣接する複数（通常三つ）の図柄をそれぞれ視認，識別できる。
【００１４】
表示窓１１の下側には、スタートレバー２４，停止ボタン２５，１ＢＥＴスイッチ２２，ＭＡＸＢＥＴスイッチ２３等の遊技操作に係る操作手段や、上皿２１を備える操作台２が設けられている。操作台２は、前扉１ａの前面から前方に向けて張り出した凸型形状の操作用台であって、操作しやすいように各操作手段が集中して取り付けられている。
【００１５】
上皿２１は、操作台２の上面に凹設された部分であって（図３参照）、スロットマシン遊技に使用する遊技球を貯留（待機）するとともに、貯留した遊技球を投入口２１１に向けて転動させる流路として形成されている。
後述する貯留払出ユニット７に貯留された遊技球は、上皿２１上部に設けられた払出口１４から、この上皿２１に払出されるようになっている。
【００１６】
また、上皿２１には、取込装置１７が内蔵されている（図４参照）。この取込装置１７は、投入口２１１から流入した遊技球を、計数しつつ、順次スロットマシン内部に取込むように構成され、遊技球を検出するセンサ等の検出手段と、遊技球を内部に送出するソレノイドやモータ等の駆動手段を有してなる。
この取込装置１７を介して取込まれた遊技球は、前扉１ａ裏面に設けられた流出口１７１から流出し、この流出口１７１と連通する後述の遮蔽板５に設けられた誘導路５２（図３参照）を経て、遊技機島に排出されるようになっている。
なお、取込装置１７を、図４に示すように、前扉１ａの裏面に取付けたのは、取込装置１７は、メンテナンス部品であり、遊技球の流入に伴うゴミ等の混入によるトラブルの発生を考慮し、トラブル発生の際には、前扉１ａのみを開放するだけで、取込装置１７を外部に露出でき、店員がゴミの除去等のメンテナンス作業を簡単に行えるためである。
【００１７】
スタートレバー２４は、三つの各リール４１の回転を開始させるゲームスタート手段であり、このスタートレバー２４が遊技者により押下操作されることで、後述の主基板ユニット６に収容された主基板にスタート信号が出力され、各リール４１が一斉に（又は順次）回転するようになっている。
また、このスタート信号が入力されることで、主基板において、ボーナスや小役を抽せんする内部抽せんが行われる。
【００１８】
停止ボタン２５は、回転するリール４１を停止させる停止手段であり、三つのリール（左）４１ａ，リール（中）４１ｂ，リール（右）４１ｃに対応して、停止ボタン（左）２５ａ，停止ボタン（中）２５ｂ，停止ボタン（右）２５ｃが備えられている。これら各停止ボタン２５が遊技者の任意のタイミングで押下されることで、主基板にストップ信号が出力され、対応する各リール４１の回転が停止されるようになっている。
従って、遊技者がスタートレバー２４及び停止ボタン２５を操作することにより、三つのリール４１を回転及び停止させて、各リール４１に付された図柄を所定の入賞配列となるよう揃えるスロットマシン遊技を行うことができる。
【００１９】
１ＢＥＴスイッチ２２は、上皿２１に貯留された遊技球を投入する球投入用のスイッチであって、一回の押下につき一ゲームに投入可能な最小の球数（通常五個）を投入することができる最小個数賭け用の投入ボタンである。
ＭＡＸＢＥＴスイッチ２３は、１ＢＥＴスイッチ２２と同様、上皿２１に貯留された遊技球を投入する球投入用のスイッチである。ただし、ＭＡＸＢＥＴスイッチ２３は、一回の押下につき一ゲームに投入可能な最大の球数（通常十個又は、十五個）を投入することができる最大個数賭け用の投入ボタンである。
これら１ＢＥＴスイッチ２２又はＭＡＸＢＥＴスイッチ２３が押下されると、ＢＥＴ信号が主基板に出力され、押下されたボタンの種類又はその回数に応じた数の遊技球が取込装置１７に取込まれ、遊技機内部に投入されることになる。
【００２０】
さらに、操作台２には、上皿２１に貯留されている遊技球を精算する際に操作される精算スイッチ２６が設けられている。
また、その他の操作手段として、取込済球表示器、残額表示器、返却スイッチ、球貸スイッチなどを設けることもできる。
取込済球表示器は、１ＢＥＴスイッチ２２又はＭＡＸＢＥＴスイッチ２３の操作により取り込まれた遊技球数を表示する。
残額表示器は、スロットマシン１に並設されたカードユニット（図示せず）に挿入したプリペイドカードから読み出された有価価値の残額を表示する。
返却スイッチは、カードユニット（図示せず）に挿入したプリペイドカードを返却させる際に操作されるスイッチである。
球貸スイッチは、残額表示器に表示された有価価値の残額の範囲内で遊技球の貸し出しを受ける際に操作されるスイッチである。
【００２１】
前扉１ａの前面において操作台２のさらに下方には、下皿３が備えられている。
下皿３は、遊技球を貯留可能に凹状に形成された玉収容部である。
この下皿３には、図示しない返却口が設けられ、払出装置７１から払い出された遊技球や、精算スイッチ２６が操作されることで上皿２１から流下する遊技球が、この返却口から排出され、下皿３に貯留されるようになっている。
【００２２】
また、前扉１ａの裏面上方には、ＴＶ表示ユニット９とスピーカ１２が備えられている。
ＴＶ表示ユニット９は、表示装置であって、液晶ＴＶと、中央演算処理装置（ＣＰＵ）などの電子部品が実装された制御基板と、この制御基板を収容する基板ケース等で構成され、所定の演出表示を行う。また、この制御基板には、スピーカ１２を駆動させるアンプや所定の音声ＲＯＭや音源ＩＣも実装され、スピーカ１２からメロディ音やメッセージ音等の各種の音声を発生するようになっている。液晶ＴＶやスピーカ１２は、例えば、主基板で内部抽せんが行われ、ボーナスや小役に当せんした場合や、入賞図柄が揃ってボーナスや小役に入賞した場合等に、所定の演出を行うようになっている。
なお、ＴＶ表示ユニット９とスピーカ１２を、前扉１ａの裏面に取付けたのは、これらの部品は、メンテナンス部品であり、故障等のトラブル発生を考慮し、故障の際には、前扉１ａのみを開放するだけで、これらの外部に露出でき、店員が修理等のメンテナンス作業を簡単に行えるためである。
【００２３】
外枠１ｂは、スロットマシン１を遊技機島に設置する際に、遊技機島に固設されるもので、矩形状の枠構造を有してなる。
外枠１ｂは、本実施形態では、主にラワン材等からなる平板材を、Ｌ字状の金属板等で連結した枠体であって、釘やネジ等で、直接遊技機島に固設されるようになっている。
【００２４】
次に、本実施形態の遮蔽板５は、前扉１ａ及び外枠１ｂと別体に形成された一枚板の扉体として構成されている（図４，図５参照）。
遮蔽板５は、ヒンジ１３を介して、開閉可能に外枠１ｂに支持されている。前述したように、前扉１ａは、蝶番１５を介して、遮蔽板５に取付けられていることから、前扉１ａの開放に連動して、遮蔽板５が開放することはない。
さらに、遮蔽板５は、外枠１ｂの開口部Ａを閉塞するように構成されている。
【００２５】
また、遮蔽板５の右端部には、フック５１ａが上下に設けられている（図３参照）。各フック５１ａは、外枠１ｂに対応して設けられた爪部５１ｂ（図４参照）に係止されるとともに（ロック手段）、係止解除可能に上下動する。
また、遮蔽板５の周縁には、全周に亘ってリブ５ｂが立設されるとともに、当該リブ５ｂとＬ字で連結するフランジ部５ａが設けられている。このように、遮蔽板５は、全体的に凹状に形成されることで、撓みや曲げに対して強い剛性を有している。
【００２６】
また、遮蔽板５は、前扉１ａの裏面側に配置されている。これにより、前扉１ａが開放されたときに、初めて遮蔽板５が外部に露出するようになっている。
さらに、フランジ部５ａが前扉１ａと外枠１ｂとの間に挟み込まれている。このため、少なくとも前扉１ａを開放しない限り、遮蔽板５を開放することはできない。
【００２７】
そして、この遮蔽板５は、図４及び図５に示すように、外枠１ｂの開口部Ａを閉塞するとともに、この遮蔽板５の表裏面には種々の装置や部品が配設されている。特に、遮蔽板５の裏面に、スロットマシン１を制御する主基板が収容された主基板ユニット６や、払出装置７１などの不正改造の対象となる主要部品が配置されている。
このため、これらの主要部品にアクセスするには、まず、前扉１ａを開放し、次いで、遮蔽板５を開放する、二重の手間を要することになる。
【００２８】
主基板や払出装置７１は、不正改造の対象部品であり、特に主基板は、不正行為者のみならず、店員が不正行為者と共謀して、改造することもあるため、遊技場の店員といえども、主基板へのアクセスを禁止している遊技場もある。
そこで、このような二重構造とすることで、主要部品へのアクセスを制限しつつ、店員が行う通常のメンテナンス時の作業性を確保できるようになっている。以下、遮蔽板５に配設されている複数の装置や部品の構成及び配置状態について詳述する。
【００２９】
図４及び図５に示すように、遮蔽板５に配設されている主な装置や部品には、ドラムユニット４と、電源ユニット８と、主基板ユニット６と、貯留払出ユニット７とがある。
また、遮蔽板５には、前扉１ａに設けられた前述の流出口１７１と連通する誘導路５２が、遮蔽板５の右下部に形成されている。
この誘導路５２は、遮蔽板５の裏面側に向かって下方に傾斜する流路であり（図示省略）、流出口１７１から流入した遊技球を、遊技機島に排出するように構成されている。
このように誘導路５２は、流出口１７１と遊技機島とを中継する流路として形成されている。
仮に、流出口１７１を、遊技機島まで直接伸長させる構成にすると、前扉１ａを開放時に、流出口１７１が邪魔になり、思うようにメンテナンス作業ができなくなるが、誘導路５２が流出口１７１と遊技機島とを中継するので、このような問題も生じることはない。
【００３０】
ドラムユニット４は、三つのリール４１ａ〜４１ｃを回転及び停止制御する装置であって、リール４１ａ，４１ｂ，４１ｃと、各リール４１を回転自在に保持するステッピングモータと、モータ駆動回路と、これらを覆うドラム裏カバー４２などから構成されている。
【００３１】
リール４１は、既存のスロットマシンにおけるものと同様、外周に複数（通常２１個）の絵柄や文字等の図柄が描かれた円筒状に形成され、縦方向（図面上下方向）に回転する三つのリール（左）４１ａ，リール（中）４１ｂ，リール（右）４１ｃが横方向（図面左右方向）に一列に並んで配設されている。
【００３２】
各リール４１に描かれる図柄は、リール４１毎に等間隔で配設され、例えば「チェリー」や「ＢＡＲ」，「リプレイ」等の文字や、スロットマシン１のキャラクターや果物等を示す絵柄等が、所定の順番で表示されており、通常、各リール４１に２１個ずつの図柄が表示されるようになっている。
そして、それらリール４１の図柄が、対応する停止ボタン２５が押下操作されることで、上述した表示窓１１の入賞ラインに沿って所定の組合せで停止し、入賞が決定される。
【００３３】
モータ駆動回路（図示せず）は、三つのリール４１ａ〜４１ｃを回転自在に保持するステッピングモータ（図示せず）を回転駆動し、各リール４１の回転の始動，定速回転及び停止の制御を行う。
回胴位置検出部（図示せず）は、回転中の各リール４１の位置を検出して位置信号を制御手段に出力する。
【００３４】
また、リール４１を停止させる際には、主基板で行われる内部抽せんの結果に応じてリール４１の停止位置が制御されて、遊技者の停止ボタン２５を押すタイミングに基づき、一定範囲内（通常、図柄４コマの範囲内）で対応するリール４１の図柄が特定の配列となるよう、各リール４１が停止制御される。
これにより、スタートレバー２４からのスタート信号を契機として主基板で内部抽せんが行われ、主基板からの制御信号によりドラムユニット４が制御されることで、停止ボタン２５が押下されるタイミングに基づき、一定範囲内で内部抽せんの結果に応じた停止位置で各リール４１が停止されることになる。
【００３５】
このような構成からなるドラムユニット４は、図５に示すように、遮蔽板５に形成された開口部（図示省略）に表面から挿入され、樹脂性のロック部材で、遮蔽板５に固着される。
このようにドラムユニット４が装着されることで、遮蔽板５を開放させることなく、ドラムユニット４が脱着可能となるため、ドラムユニット４が故障したような場合のメンテナンス作業が容易となる。
また、従来の遊技機では、ドラムユニットは、前扉に装着されていたが、ドラムユニット４を遮蔽板５に装着することで、前扉１ａの軽量化が図られ、取り扱いが容易となる。
【００３６】
なお、ドラムユニット４は、遮蔽板５の裏面に突出する構成になっており、そのため遮蔽板５には、開口部が形成されているが、図２や図４に示すように、ドラムユニット４の背面は、ドラム裏カバー４２で覆われていることから、遮蔽板５の表面と裏面は、このドラム裏カバー４２で隔離される。
これにより、遮蔽板５の表面から裏面に、例えば、セルや針金などの長物の不正治具を侵入させて行う不正行為を阻止できる。
なお、遮蔽板５にドラム裏カバー４２を一体に設け、遮蔽板５を開口のない一枚の扉体として形成することもできる。
【００３７】
電源ユニット８は、スロットマシン１の各部、各装置に供給される電源を生成する電源装置であって、図示しない電源基板や、ボーナスや小役等の発生確率を設定変更可能な設定基板、これらを収容する基板ケース等で構成されている。
電源ユニット８の正面側には、確率設定変更に係る設定キーを挿入するシリンダや、設定変更に際して、操作される電源スイッチ等の設定操作部が配設されている（図示省略）。
スロットマシンの場合、通常、設定確率の変更は、頻繁に行われており、このため、店員は、シリンダや電源スイッチ等の設定操作部を、日常的に操作する必要がある。
【００３８】
そこで、本実施形態では、電源ユニット８を、図３〜図５に示すように、遮蔽板５の表面に配置してある。これにより、前扉１ａを開放すると、電源ユニット８が店員の正面に位置することになる。
設定操作部は、電源ユニット８の正面側に配置されていることから、設定操作部の操作が容易となり、設定変更作業の効率化が図られる。
【００３９】
主基板ユニット６は、中央演算処理装置（ＣＰＵ）や、制御プログラムやデータが記録されたＲＯＭ、ワーク領域を有するＲＡＭ等の電子部品が実装された主基板と、これを収容する基板ケース等で構成されている。
このように主基板は、コンピュータとして構成され、スロットマシン１の各部、各装置を制御する主要部品である。
そのため、主基板を収容する主基板ユニット６は、正規のＣＰＵやＲＯＭ等を変造品に取り替える不正改造の対象部品となっている。
【００４０】
次に、貯留払出ユニット７は、遊技機島から補給された遊技球を貯留可能に凹状に形成されるとともに、小役の入賞時に所定数の遊技球を払い出す払出装置７１を備える装置であり、スロットマシン１の主要部品となっている。
払出装置７１には、遊技球を送出するモータや、送出する遊技球を計数するセンサなどの計数手段が設けられている。
このような払出装置７１は、遊技機外部からセルや針金などの長物の治具を侵入させ、遊技球を計数するセンサやモータを不正に操作し、過剰な払出が誘発されることがある。
そのため、払出装置７１は、不正改造の対象部品となっている。
【００４１】
このように、主基板及び払出装置７１は、スロットマシン１の主要部品であり、不正改造の対象部品となっていることから、本実施形態では、主基板ユニット６と貯留払出ユニット７とを、遮蔽板５の裏面に配置してある。
これにより、単に前扉１ａを開放しただけでは、遮蔽板５に阻まれ、主基板ユニット６と貯留払出ユニット７とに、直接アクセスすることはできない。
前扉と外枠とで構成された従来の遊技機の場合、前扉を開放しただけで、前扉の裏面に、主基板ユニット６と貯留払出ユニット７とが露出することになっていた。
【００４２】
そこで、本発明のように、遮蔽板５を設けることで、主基板ユニット６と貯留払出ユニット７とを、遮蔽板５の裏面に配置することができ、前扉１ａを開放しただけでは、主基板ユニット６と貯留払出ユニット７とにアクセス不能とすることができる。
これにより、主基板の不正改造を防止できるとともに、払出装置７１に対する不正操作を排除することができる。
【００４３】
さらに、主基板ユニット６と貯留払出ユニット７とにアクセスするには、ロック手段となっているフック５１ａを解除しなければならないようになっている。このように、主基板ユニット６と貯留払出ユニット７に、容易にアクセスすることができないため、主基板ユニット６と貯留払出ユニット７を不正改造から強固に保護することができる。
一方、店員の行う通常のメンテナンス作業では、特に、遮蔽板５を開放する必要もないことから、メンテナンス時の作業効率を低下させることもない。
【００４４】
また、主基板ユニット６は、電源ユニット８が位置する裏面に、主基板ユニット６と電源ユニット８とが表裏一体となるように配置してある。これにより、電源ユニット８から主基板までの電源ケーブルを短くすることができ、コストの削減や、ラインノイズを軽減することができ、主基板の誤動作を防止することができる。
また、電源ケーブルを用いず、電源基板と主基板とを直接コネクタ接続する構成としてもよい。これにより上記の効果に加え、接続時の作業性も向上する。
【００４５】
さらに、貯留払出ユニット７は、遮蔽板５の最上部に配置し、ドラムユニット４は、貯留払出ユニット７の下側に配置してある。
貯留払出ユニット７には、遊技機島内で上方に揚送された遊技球が補給されることから、最上部が適所となっている。
ドラムユニット４を、貯留払出ユニット７の下側に配置することで、遊技者が最も目視し易いところに位置することになる。
そして、ドラムユニット４の下側に、主基板ユニット６と電源ユニット８とを配置してある。
主基板ユニット６と電源ユニット８は、その機能において上下の位置を特定する必要がないため、ドラムユニット４下側の空いたスペースに配置してある。
このように、新たな配置場所である遮蔽板を設けることで、スペースを有効に利用して、各々の部品を適所に配置することができる。
【００４６】
以上のように、本実施形態のスロットマシン１によれば、外枠１ｂと前扉１ａとの間に、主基板などの主要部品を裏面に配置する新たな扉体となる遮蔽板５を設けることで、主要部品への不正なアクセスを遮断するとともに、設定確率の変更や修理などのメンテナンス作業を円滑に行うことができる。
【００４７】
すなわち、新たな扉体となる遮蔽板５を設けることで、スロットマシンに備える部品を、遮蔽板５を境に、この遮蔽板５の表側（前扉１ａの裏面も含む）か、裏側のいずれかに配置することができる。その結果、部品の機能や他の部品と関連性などの設計上の都合や、不正改造の対象部品か否かなどの不正対策上の都合に基づいて、各部品を選択的に配置でき、部品配置の自由度を広げることができる。
【００４８】
また、前扉と外枠とで構成された従来の遊技機の場合、すべての部品を前扉に配置していたことから、前扉の重量が増大し、取り扱い難いものとなっていた。
一方、本発明は、遮蔽板５を備えているため、部品を分散して配置できることから、重量が分散され、前扉の重量が軽くなり、取り扱いが容易となるだけでなく、従来のように各部品を重ねて配置する必要もないため、各部品の配置も明確となり、メンテナンス時の作業性を向上させることができる。
【００４９】
以上、本発明の遊技機の好ましい実施形態について説明したが、本発明に係る遊技機は上述した実施形態にのみ限定されるものではなく、本発明の範囲で種々の変更実施が可能であることはいうまでもない。
例えば、上述の実施形態においては、遮蔽板５は、ロック手段として、フック５１ａを外枠１ｂの爪部５１ｂに係止させる構成としたが、所定の錠前を設け、施錠する構成としてもよい。
【００５０】
また、本実施形態では、遮蔽板５を一枚板で構成したが、遮蔽板５を上下に分割し、各々独立して開閉する二枚扉で構成することもできる。
この場合、下側に位置する遮蔽板５の裏面に、主基板ユニットを配置し、上側に位置する遮蔽板５の裏面に、貯留払出ユニットを配置する。さらに、主基板ユニットを配置した下側の遮蔽板５は、貯留払出ユニットを配置した上側の遮蔽板５より、強固な施錠手段を設ける構成とすることもできる。
【００５１】
これにより、主基板ユニットは、メンテナンス時の作業性を重視するより、セキュリティを重視した方がよいことから、遮蔽板５によって、主基板ユニットを強固に保護することができる。
一方、貯留払出ユニットにおいて、遊技球の球詰まりが発生し、店員が球詰まりを解消する等の作業を行う場合もあることから、この場合には、上側の遮蔽板５のみを開放すれば足り、主基板ユニットを遮蔽しつつ、効率的なメンテナンス作業が行える。
【００５２】
また、本実施形態では、遊技球を用いて遊技を行うスロットマシンについて説明したが、本発明の遊技機は、スロットマシンに限るものではなく、前扉と外枠とを有するすべての遊技機（パチンコ機、雀球機、アレンジボールなど）を対象とすることができる。
【産業上の利用可能性】
【００５３】
本発明は、前扉と外枠とを有する遊技機に好適に利用することができる。
【図面の簡単な説明】
【００５４】
【図１】本発明の一実施形態に係る遊技機の正面図である。
【図２】本発明の一実施形態に係る遊技機の裏面図である。
【図３】本発明の一実施形態に係る遊技機の前扉を開放した斜視図である。
【図４】本発明の一実施形態に係る遊技機の前扉と遮蔽板を開放した斜視図である。
【図５】本発明の一実施形態に係る遊技機の組立図である。
【符号の説明】
【００５５】
１  遊技機（スロットマシン）
１ａ  前扉
１ｂ  外枠
２  操作台
３  下皿
４  ドラムユニット
５  遮蔽板
６  主基板ユニット
７  貯留払出ユニット
８  電源ユニット
９  ＴＶ表示ユニット
【図１】
2010088779.tif 000003
【図２】
2010088779.tif 000004
【図３】
2010088779.tif 000005
【図４】
2010088779.tif 000006
【図５】
2010088779.tif 000007